(57)【要約】【課題】  手軽に持ち運べて、何時でも簡単に誰でも使用できる共に、マッサージ対象部位を冷し又は温めつつマッサージすることができるようにすること。【解決手段】たまご型の本体ケース１の先端部分に収納部５１を設け、この収納部５１にゾル状の保冷温材５０を収納する。本体ケース１は内部に基板１０が設けられ、この基板１０上には振動モータ１３、ボタン電池１８およびスイッチ１１が設けられている。保冷温材５０を冷やすか又は温めて収納部５１に入れて蓋２をし、スイッチ１１を入れると振動モータ１３が駆動され、本体ケース１全体が振動する。この状態でマッサージ対象部位に蓋２部分を押し当てると、保冷温材５０によりマッサージ部位を冷やす又は温めることができ且つ振動を与えてマッサージすることができる。【選択図】  図１
2010088558.tif 000002
【特許請求の範囲】
【請求項１】
手のひらに収まる寸法の本体ケースと、
当該本体ケースに設けられ且つマッサージ対象部位に温度を伝達するゾル状又はゲル状の保冷温材と、本体ケース内に設けた振動モータその他の振動手段と、当該振動手段に電力を供給する電力供給手段と、を備えたことを特徴とする小型マッサージ器。
【請求項２】
更に、前記本体ケース内に設けられ且つ前記保冷温材を収納する収納部と、マッサージ部位に押し当てられる前記収納部の蓋と、を備えたことを特徴とする請求項１に記載の小型マッサージ器。
【請求項３】
本体ケースは、全体として曲面を用いた形状であることを特徴とする請求項１又は２に記載の小型マッサージ器。
【請求項４】
外部電源から前記振動手段を駆動する電力を供給し得ることを特徴とする請求項１〜３のいずれか一つに記載の小型マッサージ器。
【発明の詳細な説明】
【技術分野】
【０００１】
本発明は、主に目の周辺に震動を与えて疲れを緩和する小型マッサージ器に関するものである。
【背景技術】
【０００２】
従来から振動を発生させ、その一部を人体に押し当てることでマッサージ効果を得るマッサージ器が多数存在している。例えば、特許文献１に記載の目のマッサージ器は、眼鏡形状の被着体と、振動体と、この装着体にブレードを介して設けた目に当接するパッドを備えた構成である。このマッサージ器の被着体を頭部に装着し、振動体を振動させることで、ブレードを介してパッドが振動し、目の周囲をマッサージする。
【特許文献１】特開平０７−２３６６７７号公報
【発明の開示】
【発明が解決しようとする課題】
【０００３】
上記従来の疲労軽減除去装置やマッサージ器は、手軽に持ち運べず、いつでも簡単に使用できるようなものではなかった。また、目の疲労に対しては、冷えた又は温めたタオル等を目の周囲に乗せることで疲労感を軽減できることが知られているところ、上記疲労軽減除去装置等では、目の周囲を冷やしたり又は温めたりすることができないという問題点があった。そこで、本発明は、手軽に持ち運べて、何時でも簡単に誰でも使用できると共に、マッサージ対象部位を冷し又は温めつつマッサージすることができる小型マッサージ器を提供することを目的とする。
【課題を解決するための手段】
【０００４】
上記課題を解決するために、この発明の小型マッサージ器は、手のひらに収まる寸法の本体ケースと、当該本体ケースに設けられ且つマッサージ対象部位に温度を伝達するゾル状又はゲル状の保冷温材と、本体ケース内に設けた振動モータその他の振動手段と、当該振動手段に電力を供給する電力供給手段と、を備えたことを特徴とする小型マッサージ器。
【０００５】
また、次の発明にかかる小型マッサージ器は、上記発明において、更に、前記本体ケース内に設けられ且つ前記保冷温材を収納する収納部と、マッサージ部位に押し当てられる前記収納部の蓋と、を備えたことを特徴とする。
【０００６】
また、次の発明にかかる小型マッサージ器は、上記発明において、本体ケースは、全体として曲面を用いた形状であることを特徴とする。
【０００７】
また、次の発明にかかる小型マッサージ器は、上記発明において、外部電源から前記振動手段を駆動する電力を供給し得ることを特徴とする。
【発明の効果】
【０００８】
この発明の小型マッサージ器によれば、手のひらに収まる寸法であり、電力供給手段と振動手段とを設けたので、手軽に持ち運べる。また、保冷温材の作用により、マッサージ対象部位を冷やしたり又は暖めることができる。
【発明を実施するための最良の形態】
【０００９】
（実施の形態１）
図１は、この発明の実施の形態１にかかる小型マッサージ器を示す側面図である。図２は、図１に示した小型マッサージ器の正面図である。図３は、図１のＡ−Ａ断面図である。この小型マッサージ器１００は、人手のひらに納まるサイズであって且つたまご型をした本体ケース１と、本体ケース１の一部に設けた保冷温材５０を収納する収納部５１と、図４に示すこの収納部５１の蓋２と、本体ケース１に収納された基板１０とを有する。本体ケース１は、８０ｍｍ以下３０ｍｍ以上、胴周りの最大径が６０ｍｍ以下２０ｍｍ以上とするのが好ましい。
【００１０】
図５は、図１に示した基板を示す平面図である。図６は、その側面図である。前記基板１０上には、その回転軸に偏芯して錘を設けた振動モータ１３と、ボタン電池１８を収納する電池ケース１２と、振動のオン・オフを行うスイッチ１１とが設けられている。基板１０は、本他ケース１の内側から突出した基板支持突起７に対してネジ１４で固定されている。また、基板１０のうち、振動モータ１３を設けた側の一辺は、収納部５１の隔壁８に設けた差込部９に差し込まれ、振動モータ１３の振動を収納部５１側に伝えやすくしている。スイッチ１１は、プッシュ型であり、ボタンが本体ケース１の前記収納部５１と反対側から突出している。
【００１１】
本体ケース１は中央部分で分割されている。この分割線３は、本体ケース１の略中央で且つ円周状に形成されており、この分割線３に沿って振動の強弱を調整する強弱スイッチ６が設けられている。この強弱スイッチ６は、前記分割線３に沿って設けたガイド５に沿ってボタンがスライド可能である。強弱スイッチ６は、図示しない配線により基板１０に接続されている。
【００１２】
前記蓋２は、皿状であって、たまご型の先端部分となる部位に相当し、この蓋２はねじ込み式で本体ケース１に着脱可能となる。この本体ケース１の先端部分に設けた収納部５１は、本体ケース１の先端部分及び本体ケース１内で基板収納部分５２との間を隔する隔壁８から構成される。当該収納部５１は、本体ケース１内部に水分が入らないように完全に密閉され、保冷温材の表面が結露して水滴が生じても、これが本体ケース１内の他の部分に漏れることはない。この収納部５１には、ゾル状の保冷剤と保温材の兼用タイプ（保冷温材）を樹脂製の袋体に密封したものが収納される。前記保冷温材としては、ゲル状のものを用いても良い。
【００１３】
収納部５１にゾル状またはゲル状の保冷温材５０を収納部５１に収納して蓋２をすると、保冷温材が隔壁８と蓋２の裏面に密着する。保冷温材は、冷たくして使用する場合は、冷凍庫に数十分入れ、また、暖かくして使用する場合は、電子レンジで数秒暖めて使用する。
【００１４】
例えば、保冷温材としては、高吸水性ポリマー（アクリルアミド架橋体）等を用いることができる。
【００１５】
次に、この小型マッサージ器１００の使用方法について説明する。まず、分割線３に沿って本体ケース１を分割し、電池ケース１２にボタン電池１８を挿入しておく。使用の際は、保冷温材５０を冷やすか或いは暖めた状態で前記収納部５１に収納し、蓋２を本体ケース１に取り付ける。保冷温材５０は、収納部５１に収納した状態で隔壁８と蓋２の裏面により若干押し潰されて収納部５１の内面に接するようになる。この状態でスイッチ１１を押すと振動モータ１３が駆動され、その振動が基板支持突起７や差込部９に伝達され、特に差込部９を介して隔壁８に伝わった振動は保冷温材５０を振動させると共に隔壁８から本体ケース１及び蓋２に伝達される。また、蓋２及びその周囲の本体ケース１は、保冷温材５０との間で熱交換がなされることで当該保冷温材５０と同程度の温度になっている。
【００１６】
そして、蓋２の部分をマッサージしたい部位、例えば目の周囲に押し当てる。これにより、目の周囲に振動が伝わり、且つ、保冷温材５０の作用により冷やされ又は暖められる。また、振動の強弱は、本体ケース１の周囲に設けたスライド式の強弱スイッチ６により切り替えることができる。
【００１７】
以上の小型マッサージ器１００によれば、小型で且つバッテリー内蔵式であるため手軽に持ち運べ且つ簡単に使用できる。また、マッサージ対象部位を冷やしたり暖めたりしながら、マッサージすることができる。さらに、この小型マッサージ器１００は、全体として曲面で構成されたたまご型であるから、手に持ちやすい。
【００１８】
なお、図示しないが、前記保冷温材５０を前記収納部５１に嵌め込み、当該保冷温材５０が本体ケース１の先端から突出するようにし、前記蓋２をすることなく用いるようにしてもよい。このようにすれば、冷やされ又は暖められた保冷温材５０を直接マッサージ対象部位に押し当ててマッサージをすることができる。この場合、保冷温材５０は着脱可能としてもよいし、収納部５１に対して固定してもよい。保冷温材５０を直接マッサージ対象部位に押し当てる場合、前記振動モータ１３が差込部９、隔壁８を介して略直接保冷温材５０を振動させるので、マイルドな振動でマッサージを行うことができる。
【００１９】
（実施の形態２）
図７は、この発明の実施の形態２にかかる小型マッサージ器を示す側面図である。図８は、図７に示した小型マッサージ器の基板を示す平面図である。図９は、その側面図である。この実施の形態２にかかる小型マッサージ器２００は、実施の形態１に係る小型マッサージ器１００と略同じ構成であるが、ＵＳＢコネクタから電力を供給するようにした点が異なる。この小型マッサージ器２００は、基板１０上には、その回転軸に偏芯して錘を設けた振動モータ１３と、振動のオン・オフを行うスイッチ１１と、電力の供給を受けるためのＵＳＢコネクタ１５とが設けられている。スイッチ１１は、プッシュ型であり、ボタンが本体ケース１の胴回りから突出する位置に配置されている。その他の構造は、実施の形態１と同様であるため説明を省略する。
【００２０】
パーソナルコンピュータ等のＵＳＢポートにＵＳＢケーブルの一端を接続し（図示省略）、他端を前記ＵＳＢコネクタ１５に接続する。これにより、振動モータ１３に対して電力を供給できる状態になる。この小型マッサージ器２００によれば、パーソナルコンピュータを用いたＶＤＴ作業を行う際、ＵＳＢケーブルにより当該パーソナルコンピュータと小型マッサージ器２００とを接続することで簡単に用いることができるようになる。なお、また、ＡＣアダプターから電力を供給することもできる。更に、図示しないが、充電可能な電池を内蔵し、電力を充電してから振動モータを駆動するようにしても良い。
【００２１】
（実施の形態３）
図１０は、この発明の実施の形態３にかかる小型マッサージ器を示す側面図である。図１１は、図１０に示した小型マッサージ器の基板を示す平面図である。図１２は、その側面図である。この実施の形態３にかかる小型マッサージ器３００は、実施の形態１に係る小型マッサージ器１００と略同じ構成であるが、自動車のシガーソケットから電力を供給するようにした点が異なる。この小型マッサージ器３００は、基板１０上には、その回転軸に偏芯して錘を設けた振動モータ１３と、振動のオン・オフを行うスイッチ１１と、電源コード１７を介して設けられたシガープラグ１６とが設けられている。スイッチ１１は、プッシュ型であり、ボタンが本体ケース１の胴回りから突出する位置に配置されている。なお、基板１０上には、自動車の直流電圧１２Ｖを３Ｖに電圧変換するための変換回路２０が設けられる。その他の構造は、実施の形態１と同様であるため説明を省略する。
【００２２】
使用する際は、前記シガープラグ１６を自動車のシガーライターソケットに接続する。これにより、振動モータ１３に対して電力を供給できる状態になる。この小型マッサージ器３００によれば、自動車の運転で疲れた場合に、シガーライターソケットに小型マッサージ器３００を接続することで簡単に用いることができるようになる。なお、また、ＡＣアダプターから電力を供給することもできる。更に、図示しないが、充電可能な電池を内蔵し、電力を充電してから振動モータを駆動するようにしても良い。
【００２３】
（実施の形態４）
図１３は、この発明の実施の形態４にかかる小型マッサージ器を示す側面図である。図１４は、図１３に示した小型マッサージ器の展開図である。図１５は、図１３に示した小型マッサージ器の側面図である。この小型マッサージ器４００は、人手のひらに納まるサイズであって且つハート型をした本体ケース４０１と、本体ケース４０１の上部２つの膨らみ部に設けた冷温ゾルを収納する収納部４０と、本体ケース４０１に収納された基板６０とを有する。本体ケース４０１は、縦横長さが８０ｍｍ以下３０ｍｍ以上とするのが好ましい。
【００２４】
図１６は、図１４に示した基板を示す平面図である。図１７は、その裏面図である。図１８は、その側面図である。前記基板６０の表面上には、その回転軸に偏芯して錘を設けた振動モータ１３と、振動のオン・オフを行うスイッチ１１とが設けられている。基板６０の裏面には、ボタン電池１８を収納する電池ケース１２が設けられている。基板６０は、本他ケース４０１の内側に対してネジで固定されている。スイッチ１１は、プッシュ型であり、ボタンが本体ケース４０１の前記上面から突出している（図１５参照）。
【００２５】
本体ケース４０１は平面方向に分割され、ヒンジ部分４２から開くことができる。また、本体ケース４０１の開いた状態における一方側４０３には、スイッチ１１を通す穴４１が設けられている。前記収納部４０は、膨らみ部４０５に形成した円筒型の隔壁４３と本体ケース４０１の一部とにより形成される。この収納部４０の円筒型の隔壁４３の上端は本体ケース４０１の裏面に密着するように薄く形成したりシール材を設けて、当該収納部４０の密封性を高めるようにしてもよい。このようにすれば、保冷温材５０の表面から生じる水滴が本体ケース４０１内のその他の部分に漏れることがない。この収納部４０には、ゾル状の保冷剤と保温材の兼用タイプ（保冷温材）を樹脂製の袋体に密封し、これを収納するようにする。前記保冷温材５０としては、ゲル状のものを用いても良い。
【００２６】
収納部４０にゾル状またはゲル状の保冷温材５０を収納部４０に収納して本体ケースの他方側４０４を閉めると、保冷温材５０が隔壁４３と本体ケース４０１の裏面に密着する。保冷温材５０は、冷たくして使用する場合は、冷凍庫に数十分入れ、また、暖かくして使用する場合は、電子レンジで数秒暖めて使用する。保冷温材５０は、実施の形態１に示したものと同じものを用いることができる。
【００２７】
次に、この小型マッサージ器４００の使用方法について説明する。まず、本体ケース４０１を開いて、電池ケース１２にボタン電池１８を挿入しておく。使用の際は、本体ケース４０１を開いて前記保冷温材５０を冷やすか或いは暖めた状態で前記収納部４０に収納し、本体ケース４０１を閉じる。保冷温材５０は、収納部４０に収納した状態で隔壁４３と本体ケース４０１の裏面により若干押し潰されて収納部４０の内面に接するようになる。この状態でスイッチ１１を押すと振動モータ１３が駆動され、その振動が本体ケース４０１に伝達される。また、本体ケース４０１は、保冷温材５０との間で熱交換がなされることで当該保冷温材５０と同程度の温度になっている。
【００２８】
そして、ハート形の膨らみ部４０５をマッサージしたい部位、例えば目の周囲に押し当てる。これにより、目の周囲に振動が伝わり、且つ、保冷温材５０の作用により冷やされ又は暖められる。
【００２９】
以上の小型マッサージ器４００によれば、小型で且つバッテリー内蔵式であるため手軽に持ち運べ且つ簡単に使用できる。また、マッサージ対象部位を冷やしたり暖めたりしながら、マッサージすることができる。この小型マッサージ器４００は、全体として曲面を用いて構成した立体的なハート形のため手に持ちやすい。
【００３０】
（実施の形態５）
図１９は、この発明の実施の形態５にかかる小型マッサージ器を示す側面図である。図２０は、図１９に示した小型マッサージ器の展開図である。図２１は、図１９に示した小型マッサージ器の側面図である。この実施の形態５にかかる小型マッサージ器５００は、実施の形態４にかかる小型マッサージ器４００の本体ケース５０１の形状がパンダ形になった点が異なり、その他の点は実施の形態４と同じ構成である。また、全体として曲面を用いて構成した立体的なパンダ形のため手に持ちやすい。この実施の形態５では、パンダの耳部分に保冷温材５０の収納部５０２が設けられている。その他の構成は、実施の形態４と同じであるからその説明を省略する。
【図面の簡単な説明】
【００３１】
【図１】この発明の実施の形態１にかかる小型マッサージ器を示す側面図である。
【図２】図１に示した小型マッサージ器の正面図である。
【図３】図１のＡ−Ａ断面図である。
【図４】図１に示した蓋を示す側面図である。
【図５】図１に示した基板を示す平面図である。
【図６】図１に示した基板を示す側面図である。
【図７】この発明の実施の形態２にかかる小型マッサージ器を示す側面図である。
【図８】図７に示した小型マッサージ器の基板を示す平面図である。
【図９】図７に示した小型マッサージ器の基板を示す側面図である。
【図１０】この発明の実施の形態３にかかる小型マッサージ器を示す側面図である。
【図１１】図１０に示した小型マッサージ器の基板を示す平面図である。
【図１２】図１０に示した小型マッサージ器の基板を示す側面図である。
【図１３】この発明の実施の形態４にかかる小型マッサージ器を示す側面図である。
【図１４】図１３に示した小型マッサージ器の展開図である。
【図１５】図１３に示した小型マッサージ器の側面図である。
【図１６】図１４に示した基板を示す平面図である。
【図１７】図１４に示した基板を示す裏面図である。
【図１８】図１４に示した基板を示す側面図である。
【図１９】この発明の実施の形態５にかかる小型マッサージ器を示す側面図である。
【図２０】図１９に示した小型マッサージ器の展開図である。
【図２１】図１９に示した小型マッサージ器の側面図である。
【符号の説明】
【００３２】
１００  小型マッサージ器
１  本体ケース
２  蓋
６  強弱スイッチ
８  隔壁
１０  基板
１１  スイッチ
１２  電池ケース
１３  振動モータ
１８  ボタン電池
５０  冷温ゾル
５１  収納部
【図１】
2010088558.tif 000003
【図２】
2010088558.tif 000004
【図３】
2010088558.tif 000005
【図４】
2010088558.tif 000006
【図５】
2010088558.tif 000007
【図６】
2010088558.tif 000008
【図７】
2010088558.tif 000009
【図８】
2010088558.tif 000010
【図９】
2010088558.tif 000011
【図１０】
2010088558.tif 000012
【図１１】
2010088558.tif 000013
【図１２】
2010088558.tif 000014
【図１３】
2010088558.tif 000015
【図１４】
2010088558.tif 000016
【図１５】
2010088558.tif 000017
【図１６】
2010088558.tif 000018
【図１７】
2010088558.tif 000019
【図１８】
2010088558.tif 000020
【図１９】
2010088558.tif 000021
【図２０】
2010088558.tif 000022
【図２１】
2010088558.tif 000023